(57)【要約】【課題】型枠の支保工、そのための照明及び足場を使用しないで済む、開口部の効率的な閉塞方法、及び躯体の開口部を充填材で効率よく塞ぐために使用する閉塞部材を得る。【解決手段】躯体１に開けられた開口部２を型枠４及び充填材７の使用によって塞ぐ方法を提供する。この方法では、まず、閉塞部材３を準備する。閉塞部材３は型枠４及び緊結材５の組合せからなる。型枠４は、開口部２の孔の面積よりも広い面積を有しており、型枠４の外周には躯体係止部４Ａが設けられている。この方法では、緊結材５の一部分５Ｂを型枠４に固定し、緊結材５の他の部分５Ａを開口部２内に通し、緊結材５の他の部分５Ａを引っ張って型枠４を開口部２の躯体表面１Ｂに固定し、開口部２内に充填材７を導入する。【選択図】　　　　　図１
2004131983.tif 000002
【特許請求の範囲】
【請求項１】
躯体に開けられた開口部を型枠及び充填材の使用によって塞ぐにあたり、
閉塞部材を準備し、前記閉塞部材が型枠及び緊結材の組合せからなり、前記型枠が前記開口部の孔の面積よりも広い面積を有しており、前記型枠の外周に躯体係止部が設けられており、前記緊結材の一部分を前記型枠に固定し、前記緊結材の他の部分を前記開口部内に通し、前記緊結材の前記他の部分を引っ張って前記型枠を前記開口部の躯体表面に固定し、前記開口部内に充填材を導入することを特徴とする開口部の閉塞方法。
【請求項２】
躯体に開けられた開口部を型枠及び充填材の使用によって塞ぐのに用いる閉塞部材であって、
前記閉塞部材が型枠及び緊結材の組合せからなり、前記型枠が前記開口部の孔の面積よりも広い面積を有しており、前記型枠の外周に躯体係止部が設けられており、前記緊結材の一部分が前記型枠に固定され、前記緊結材の他の部分が前記開口部内に通され、前記緊結材の前記他の部分が引っ張られることで前記型枠が前記開口部の躯体表面に固定されることを特徴とする閉塞部材。
【請求項３】
躯体に開けられた開口部が型枠及び充填材の使用によって塞がれている閉塞構造であって、
前記閉塞構造が、型枠及び緊結材の組合せからなる閉塞部材の使用によって得られており、前記型枠が前記開口部の孔の面積よりも広い面積を有しており、前記型枠の外周に躯体係止部が設けられており、前記緊結材の一部分が前記型枠に固定されており、前記緊結材の他の部分が前記開口部内に通されており、前記緊結材の前記他の部分が引っ張られることで前記型枠が前記開口部の躯体表面に固定されており、前記開口部内に前記充填材が導入されていることを特徴とする閉塞構造。
【請求項４】
前記型枠と前記開口部の躯体表面との間に、シール材が設けられている請求項３記載の閉塞構造。
【発明の詳細な説明】
【０００１】
【発明の属する技術分野】
本発明は、土木、建築分野等において利用される開口部を閉塞する方法、閉塞部材及び閉塞構造に関する。
【０００２】
【従来技術】
建築物の階上の床版には、下階が水槽等の用途に使用される場合に、コンクリートを打設し、養生後、下階内部の型枠や型枠支保工等の建築資材を搬出するための開口部を予め開けておくことが一般的に行なわれている。図４は開口部を有する１例の建築物を示す断面図である。床版５１には開口部５２が設けられ、開口部５２は、建築資材の搬出が終った時点で塞ぐ必要がある。
【０００３】
開口部５２を塞ぐには、図５に示すような施工方法が採用される。図５はこの従来例を示す部分断面図である。開口部５２の下側に、型枠５３を設置し、型枠５３はパイプサポートや単管等の支保工５４によって支える。型枠５３上にコンクリートを打設し養生することで開口部５２を塞ぐ。
【０００４】
開口部５２を塞いだ後には、型枠５３及び支保工５４は、図４及び５に示すような連通管５５でつながった他の部屋に運ばれ、その部屋に設置された図４に示すような狭いマンホール用開口５６より搬出する。かかる従来技術に関する特許文献等の文献を調査したが該当するものは存在しなかった。
【０００５】
【発明が解決しようとする課題】
従来の方法では、開口部を塞ぐには、下階より照明、足場を用意し、型枠を単管やパイプサポート等の支保工で支持した後、コンクリートを打設する等、非常な手間と時間が必要である。
【０００６】
また、従来の方法では、開口部を塞いだ後、型枠や支保工を連通管に通しマンホール用開口から搬出するには、型枠等を細かく分解する作業が必要である。
【０００７】
本発明の課題は、下部よりの型枠の支保工、充填材で塞いだ後の型枠、支保工の撤去、搬出及びその為の照明、足場を使用しないで済む、開口部の効率的な閉塞方法、及び躯体の開口部を充填材で効率よく塞ぐために使用する閉塞部材を提供することにある。
【０００８】
【課題を解決するための手段】
本発明は、躯体に開けられた開口部を型枠及び充填材の使用によって塞ぐにあたり、閉塞部材を準備し、前記閉塞部材が型枠及び緊結材の組合せからなり、前記型枠が前記開口部の孔の面積よりも広い面積を有しており、前記型枠の外周に躯体係止部が設けられており、前記緊結材の一部分を前記型枠に固定し、前記緊結材の他の部分を前記開口部内に通し、前記緊結材の前記他の部分を引っ張って前記型枠を前記開口部の躯体表面に固定し、前記開口部内に充填材を導入することを特徴とする開口部の閉塞方法、かかる方法に用いる閉塞部材及びかかる方法で得られる閉塞構造に係るものである。
【０００９】
本発明者は、建築物の床版に開けられた開口部をコンクリート等によって塞ぐ際に、コンクリート受け用の板状型枠を下部より支持しないで固定する種々の装置を試作し、検討した。
【００１０】
その結果、本発明者は、型枠及び緊結材の組合せからなる閉塞部材を用いることで、型枠を下部から支持することなく、躯体の開口部を充填材で効率よく閉塞できることを見出し、本発明に至った。
【００１１】
本発明では、型枠が緊結材を引っ張ることで躯体の開口部の表面に固定され、開口部内に充填材を導入することで開口部が塞がれるので、型枠をパイプサポートのような大掛かりな支保工で支える必要がなく、充填材で塞いだ後の型枠、支保工の撤去、搬出及びその為の照明、足場を必要としない。
【００１２】
【発明の実施の形態】
本発明の実施をするための形態について説明する。
（１）躯体
躯体は、土木、建築等の分野の土木構造物や建築物等の主体となるものである。具体的には、床版を挙げることができる。躯体は代表的には上階の床であり、鉄筋コンクリートで作製される。
【００１３】
（２）開口部
躯体に開けられる開口部は、形状等、特に制限はなく、種々の方法を用いて開けることができる。かかる開口部は、床版に設けられる。
【００１４】
（３）充填材
本発明では、開口部を充填材で塞ぐ。かかる充填材は、代表的には液状のコンクリートであるが、特に制限はない。コンクリート等の充填材には、種々の混和剤等を用いることができる。充填材の導入方法や取扱方法等については、充填材の種類、用い方等によって種々に設定することができる。液状のもの、液状のものと固形のものとの混合物等でよい。なお、液状の充填材は、開口部に導入した後、硬化させる。
【００１５】
（４）閉塞部材
閉塞部材は型枠及び緊結材の組合せからなる。かかる閉塞部材は、開口部への充填材の導入に先立って、開口部に配置する。かかる閉塞部材は、充填材の導入に耐える必要がある。
【００１６】
（４−１）型枠
型枠は開口部内に導入される充填材を所定の形状に形成させるための構造物である。型枠は開口部の孔の面積よりも広い面積を有しており、型枠の外周には、開口部の躯体表面に係止される躯体係止部が設けられる。なお、型枠は、開口部を閉塞した後に取り外す必要はない。
【００１７】
型枠を開口部の下側に用いる場合、型枠は、充填材の導入の際に充填材を支持することとなる。なお、コンクリート等のような液状の充填材の場合、硬化した後は開口部の配筋等によって支持させれば、硬化後の充填材は、型枠によって支持する必要はない。
【００１８】
型枠の材質には、下階の用途が水槽となることを考慮して、錆の発生しない樹脂製を使用することができる。樹脂としては、ポリエチレン、ポリプロピレン、ポリ塩化ビニル、繊維強化プラスチック（ＦＲＰ）、ポリカーボネート等を用いることができ、特に限定するものではない。また、下階等から水蒸気が発生しない場合は、ステンレス、アルミ等の鋼製の材料としても構わない。
【００１９】
型枠の躯体係止部には、開口部の躯体表面と接触する側にシール材を設けることができる。かかるシール材は、充填材と躯体との間に生じる隙間やクラック等から水蒸気が侵入するのを防止することができる。好ましくは、シール材は、コンクリート等との密着性に優れるブチルゴム系のシール材である。
【００２０】
（４−２）緊結材
緊結材は、充填材の導入に先立って、型枠を開口部に固定するものである。緊結材は、その一部分が型枠に固定されて、他の部分が開口部を通って引っ張られて、型枠を開口部の躯体表面に固定する働きをする。
【００２１】
緊結材としては、特に制限なく、種々のものを用いることができる。型枠が開口部の下側に固定される場合、その後の充填材の導入によって型枠が開口部表面から離れないように、十分な引張り強度を有するのが好ましい。
【００２２】
充填材によって開口部が埋められた後には、型枠を開口部の表面に固定する必要はない。したがって、緊結材は、開口部閉塞後には引っ張っている必要はなく、埋められた開口部において、充填材から突出している緊結材がある場合には、突出部分を切断する等によって除去することができる。
【００２３】
緊結材の形状は、特に制限はなく、例えば、線状、帯状等のものが用いられる。特に、帯状が好ましい。同様の材質であれば線状のものよりも帯状のものの方が引張り強度に優れる。
【００２４】
緊結材の材質は、特に制限はなく、型枠と同様、下階の用途に応じて錆の発生しない樹脂製を用いることができる。
【００２５】
（４−３）支持材
好ましくは、閉塞部材は、型枠、支持材及び緊結材の組合せからなる。この場合、型枠は緊結材によって支持材に固定される際に、型枠が開口部の躯体表面に固定される。
【００２６】
緊結材は、型枠に固定されている型枠固定部、支持材に固定される支持材固定部及び型枠固定部と支持材固定部とを連結する連結部を有することができる。
【００２７】
連結部及び支持材固定部は、開口部内に通され、支持材固定部を支持材に固定することによって型枠を開口部の表面に固定することができる。好ましくは、型枠固定部、支持材固定部及び連結部は一体物からなる。
【００２８】
支持材としては、特に制限なく、種々の形状、構造、材質等のものを用いることができる。例えば、支持材として、単管等を用いることができる。
【００２９】
また、支持材と型枠との間で充填材が導入される際、支持材と充填材とが接触しないように、離間材を設けることができる。離間材としては、例えば、支持材用の嵩上げ材を用いることができる。嵩上げ材としては、角材等を用いることができる。
【００３０】
緊結材を支持材に固定するには、種々の手段を用いることができる。例えば、帯状の緊結材を型枠に設けられた２つの孔に通し、それぞれの孔から突出する帯状緊結材の端部同士を、任意の結合手段によって支持材の表面上で結合する。結合手段としては、特に制限されることなく、接着剤による接着や、マジックテープ（登録商標）等の取り外し可能な締結具による結合でよい。
【００３１】
図面を参照して、本発明をより一層詳細に説明する。
図１は本発明の１例の閉塞方法を示す部分断面図である。図２は図１に示す構造を上側から見た斜視図である。図３は本発明の１例の型枠と緊結材との組合せを示す斜視図である。
【００３２】
図１〜３に示すように、本発明の１例の閉塞方法では、躯体１に開けられた開口部２を閉塞部材３の使用によって塞ぐ。閉塞部材３は型枠４及び緊結材５の組合せからなる。
【００３３】
型枠４は開口部２の孔の面積よりも広い面積を有しており、型枠４の外周には躯体係止部４Ａが設けられている。型枠４は図３に示すように矩形の板状体である。
【００３４】
緊結材５は２本の帯状物からなり、両端部５Ａは型枠固定部となり、型枠４に設けられた孔４Ｂを通って型枠４の開口部２側に突出している。緊結材５の中間部５Ｂは、型枠固定部となり、型枠４に固定されている。
【００３５】
緊結材５の端部５Ａは、開口部２内に通され、引っ張られて、一方の躯体表面１Ａ上の支持材６に固定され、これによって、型枠４が開口部２の他方の躯体表面１Ｂに固定される。
【００３６】
緊結材５の支持材６への固定は、図１に示すように、緊結材５の両端部５Ａ同士を、特に図示はしていないが、マジックテープ（登録商標）等の締結具によって結合することで行う。その後、開口部２内に、充填材７を導入する。
【００３７】
図１及び３に示すように、躯体係止部４Ａの躯体表面１Ａ側には、ブチル系シール材８を配置することができる。また、図１に示すように、支持材６の躯体表面１Ａ側には、支持材６が充填材７と接触しないように、支持材６と躯体表面１Ｂとの間に、嵩上げ材９を配置することができる。
【００３８】
充填材７によって開口部２が閉塞された後、緊結材５を切断し、支持材６や嵩上げ材９を取り外すことで、開口部の閉塞構造が得られる。
【００３９】
このように、板状の型枠を緊結材によって上階の床の開口部に止め付けた後、コンクリートを打設すれば、今まで必要だった下階よりのコンクリート打設後の型枠、支保工の撤去、搬出は必要ない。
【００４０】
また、板状の型枠は帯状の緊結材によりコンクリートに保持されているので、コンクリート打設し養生後、帯状の緊結材を上階の床近くで切断し、上階の床近くに設置した支持材等を片付けるだけで作業は終了し、従来のように下階に設置された型枠及び支保工の撤去、搬出、それに伴う、足場、照明を準備する必要もない。
【００４１】
【発明の効果】
本発明によれば、２つの空間が躯体に開けられた開口部でつながっている場合に、１方の空間からの開口部の閉塞処理によって他方の空間内に支保工等の大掛かりな資材を残すことがないので、極めて効率的に躯体の開口部を閉塞することができる。
【図面の簡単な説明】
【図１】本発明の１例の閉塞方法を示す部分断面図である。
【図２】図１に示す構造を上側から見た斜視図である。
【図３】本発明の１例の型枠と緊結材との組合せを示す斜視図である。
【図４】従来の１例の建築物を示す断面図である。
【図５】従来の１例の開口部の閉塞方法を示す部分断面図である。
【符号の説明】
１　躯体
２　開口部
３　閉塞部材
４　型枠
４Ａ　躯体係止部
４Ｂ　孔
５　緊結材
５Ａ　両端部
５Ｂ　中間部
１Ａ，１Ｂ　躯体表面
６　支持材
７　充填材
８　ブチル系シール材
９　嵩上げ材
５１　床版
５２　開口部
５３　型枠
５４　支保工
５５　連通管
５６　マンホール用開口
【図１】
2004131983.tif 000003
【図２】
2004131983.tif 000004
【図３】
2004131983.tif 000005
【図４】
2004131983.tif 000006
【図５】
2004131983.tif 000007